【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
第２の周波数帯で動作する第２のトランシーバが存在する状態において、第１の周波数帯で第１のトランシーバを動作させる方法であって、
前記第２のトランシーバによる前記第１のトランシーバでの干渉レベルを確認するステップと、
前記確認した干渉レベルが閾値レベル未満であれば、共存を達成するために周波数分割を使用する周波数に基づく共存分割戦略を選択し、前記確認した干渉レベルが前記閾値レベルよりも大きければ、共存を達成するために時分割を使用する時間に基づく共存分割戦略を選択することにより、前記第２のトランシーバの共存戦略を動的に選択するステップと、
前記第２のトランシーバを、前記動的に選択した共存戦略に従い動作させるステップと、
を含むことを特徴とする方法。
【請求項２】
前記周波数に基づく共存分割戦略は、干渉をフィルタして除去するステップを含む、
ことを特徴とする請求項１に記載の方法。
【請求項３】
前記第２のトランシーバによる前記第１のトランシーバでの干渉レベルを確認するステップは、前記第２のトランシーバの送信電力レベルを確認するステップを含む、
ことを特徴とする請求項１に記載の方法。
【請求項４】
前記第２のトランシーバによる前記第１のトランシーバでの干渉レベルを確認するステップは、前記第２のトランシーバの送信周波数が、前記第１のトランシーバの受信周波数にどのくらい近接しているかを確認するステップを含む、
ことを特徴とする請求項１に記載の方法。
【請求項５】
前記第１のトランシーバは、固定帯域に渡り動作し、
前記第２のトランシーバは、周波数ホッピングを利用し、
前記第２のトランシーバによる前記第１のトランシーバでの干渉レベルを確認するステップは、前記第１のトランシーバの１つ以上の受信周波数から所定の周波数距離内に、前記第２のトランシーバのホップ周波数がいくつ存在するかを確認するステップを含む、
ことを特徴とする請求項１に記載の方法。
【請求項６】
前記第２のトランシーバによる前記第１のトランシーバでの干渉レベルを確認するステップは、前記第２のトランシーバの送信活動の予想レベルを確認するステップを含む、
ことを特徴とする請求項１に記載の方法。
【請求項７】
前記方法は、周期的に繰り返される、
ことを特徴とする請求項１に記載の方法。
【請求項８】
セッションが共存戦略の２つ以上の動的選択を必要とするか否かを判定するステップを含み、
必要とする場合には前記方法を周期的に繰り返し、必要としない場合には、共存戦略の最初の動的選択を行い、通信セッション全体を通じて、前記選択した共存戦略を利用する、
ことを特徴とする請求項１に記載の方法。
【請求項９】
セッションが共存戦略の２つ以上の動的選択を必要とするか否かを判定する前記ステップは、前記通信セッションの予想される時間的長さを決定するステップを含む、
ことを特徴とする請求項８に記載の方法。
【請求項１０】
通信セッションの予想される時間的長さを確認するステップと、
前記通信セッションの予想される時間的長さを、閾値の長さと比較するステップと、
を含み、
前記方法は、前記通信セッションの予想される時間的長さが前記閾値の長さ未満であれば、実行されない、
ことを特徴とする請求項１に記載の方法。
【請求項１１】
前記閾値レベルは、前記第１のトランシーバによって使用される送信方式に応じて選択される、
ことを特徴とする請求項１に記載の方法。
【請求項１２】
前記第１のトランシーバによる前記第２のトランシーバでの干渉レベルを確認するステップと、
前記確認した干渉レベルが閾値レベル未満であれば、前記周波数に基づく共存分割戦略を選択し、前記確認した干渉レベルが前記閾値レベルよりも大きければ、前記時間に基づく共存分割戦略を選択することにより、前記第１のトランシーバの共存戦略を動的に選択するステップと、
前記第１のトランシーバを、前記動的に選択した共存戦略に従い動作させるステップと、
をさらに含むことを特徴とする請求項１に記載の方法。
【請求項１３】
第２の周波数帯で動作する第２のトランシーバが存在する状態において、第１の周波数帯で第１のトランシーバを動作させる装置であって、
前記第２のトランシーバによる前記第１のトランシーバでの干渉レベルを確認する様に構成されたロジック回路と、
前記確認した干渉レベルが閾値レベル未満であれば、共存を達成するために周波数分割を使用する周波数に基づく共存分割戦略を選択し、前記確認した干渉レベルが前記閾値レベルよりも大きければ、共存を達成するために時分割を使用する時間に基づく共存分割戦略を選択することにより、共存戦略を動的に選択する様に構成されたロジック回路と、
前記第２のトランシーバを、前記動的に選択した共存戦略に従い動作させる様に構成されたロジック回路と、
を備えていることを特徴とする装置。
【請求項１４】
前記周波数に基づく共存分割戦略は、干渉をフィルタして除去することを含む、
ことを特徴とする請求項１３に記載の装置。
【請求項１５】
前記第２のトランシーバによる前記第１のトランシーバでの干渉レベルを確認する様に構成されたロジック回路は、前記第２のトランシーバの送信電力レベルを確認する様に構成されたロジック回路を含む、
ことを特徴とする請求項１３に記載の装置。
【請求項１６】
前記第２のトランシーバによる前記第１のトランシーバでの干渉レベルを確認する様に構成されたロジック回路は、前記第２のトランシーバの送信周波数が、前記第１のトランシーバの受信周波数にどのくらい近接しているかを確認する様に構成されたロジック回路を含む、
ことを特徴とする請求項１３に記載の装置。
【請求項１７】
前記第１のトランシーバは、固定帯域に渡り動作し、
前記第２のトランシーバは、周波数ホッピングを利用し、
前記第２のトランシーバによる前記第１のトランシーバでの干渉レベルを確認する様に構成されたロジック回路は、前記第１のトランシーバの１つ以上の受信周波数から所定の周波数距離内に、前記第２のトランシーバのホップ周波数がいくつ存在するかを確認する様に構成されたロジック回路を含む、
ことを特徴とする請求項１３に記載の装置。
【請求項１８】
前記第２のトランシーバによる前記第１のトランシーバでの干渉レベルを確認する様に構成されたロジック回路は、前記第２のトランシーバの送信活動の予想レベルを確認する様に構成されたロジック回路を含む、
ことを特徴とする請求項１３に記載の装置。
【請求項１９】
前記共存戦略の動的選択を周期的に行う様に、周期的に動作する、
ことを特徴とする請求項１３に記載の装置。
【請求項２０】
セッションが共存戦略の２つ以上の動的選択を必要とするか否かを判定する様に構成されたロジック回路を含み、
必要とする場合には前記共存戦略の動的な選択を周期的に繰り返し、必要としない場合には、共存戦略の最初の動的選択を行い、通信セッション全体を通じて、前記選択した共存戦略を利用する、
ことを特徴とする請求項１３に記載の装置。
【請求項２１】
セッションが共存戦略の２つ以上の動的選択を必要するかどうかを判定する様に構成された前記ロジック回路は、前記通信セッションの予想される時間的長さを決定する様に構成されたロジック回路を含む、
ことを特徴とする請求項２０に記載の装置。
【請求項２２】
通信セッションの予想される時間的長さを確認する様に構成されたロジック回路と、
前記通信セッションの予想される時間的長さを、閾値の長さと比較する様に構成されたロジック回路と、
を含み、
前記確認した干渉レベルが前記閾値レベル未満であれば、前記周波数に基づく共存分割戦略を選択し、前記確認した干渉レベルが前記閾値レベルよりも大きければ、前記時間に基づく共存分割戦略を選択することにより、共存戦略を動的に選択する様に構成された前記ロジック回路は、前記通信セッションの予想される時間的長さが前記閾値の長さ未満であれば、動作されない、
ことを特徴とする請求項１３に記載の装置。
【請求項２３】
前記第１のトランシーバによって使用される送信方式に応じて前記閾値レベルを選択する様に構成されたロジック回路を備えている、
ことを特徴とする請求項１３に記載の装置。
【請求項２４】
前記第１のトランシーバによる前記第２のトランシーバでの干渉レベルを確認する様に構成されたロジック回路と、
前記確認した干渉レベルが閾値レベル未満であれば、前記周波数に基づく共存分割戦略を選択し、前記確認した干渉レベルが前記閾値レベルよりも大きければ、前記時間に基づく共存分割戦略を選択することにより、前記第１のトランシーバの共存戦略を動的に選択する様に構成されたロジック回路と、
前記第１のトランシーバを、前記動的に選択した共存戦略に従い動作させる様に構成されたロジック回路と、
を含むことを特徴とする請求項１３に記載の装置。
【請求項２５】
第１の周波数帯で動作する第１のトランシーバと、
第２の周波数帯で動作する第２のトランシーバが存在する状態において、前記第１のトランシーバを動作させる装置と、
を備えており、
前記装置は、
前記第２のトランシーバによる前記第１のトランシーバでの干渉レベルを確認する様に構成されたロジック回路と、
前記確認した干渉レベルが閾値レベル未満であれば、共存を達成するために周波数分割を使用する周波数に基づく共存分割戦略を選択し、前記確認した干渉レベルが前記閾値レベルよりも大きければ、共存を達成するために時分割を使用する時間に基づく共存分割戦略を選択することにより、共存戦略を動的に選択する様に構成されたロジック回路と、
前記第２のトランシーバを、前記動的に選択した共存戦略に従い動作させる様に構成されたロジック回路と、
を備えているユーザ装置。
【請求項２６】
前記第２のトランシーバをさらに備えている、
ことを特徴とする請求項２５に記載のユーザ装置。